(57)【要約】      （修正有）【課題】ＬＣＤのカバーとなるＬＣＤカバーを押してもＬＣＤに歪みが生じ難く、強度も確保可能な表示装置及びこれを備えた画像形成装置を提供する。【解決手段】情報を表示するためのＬＣＤ１３と、ＬＣＤ１３を覆い略長方形に露出するＬＣＤカバー１４と、ＬＣＤ１３の制御を行うための操作部基板１２と、操作部基板１２上に取り付けられ、ＬＣＤ１３を支持するためのＬＣＤフレーム１５とを有し、ＬＣＤカバー１４はＬＣＤフレーム１５を囲み、且つ一部において操作部基板１２側に当接し、ＬＣＤフレーム１５は操作部基板１２に対しての高さが中央部よりも長手方向端部が高く構成され、ＬＣＤフレーム１５とＬＣＤカバー１４とは長手方向端部において間隙を有している。【選択図】図２
2005308864.tif 000002
【特許請求の範囲】
【請求項１】
情報を表示するための表示部材と、
前記表示部材を覆い、略長方形に露出する窓部材と、
前記表示部材を取り付けるための基板と、
前記基板上に取り付けられ、前記表示部材を支持するためのフレーム部材と、
を有し、
前記窓部材は前記フレーム部材を囲み、且つ一部において前記基板側に当接し、
前記フレーム部材は前記基板に対しての高さが中央部よりも長手方向端部が高く構成され、
前記フレーム部材と前記窓部材とは長手方向端部において間隙を有している
ことを特徴とする表示装置。
【請求項２】
前記フレーム部材は、前記表示部材と前記基板との間に空間を形成し得る形状であることを特徴とする請求項１記載の表示装置。
【請求項３】
前記フレーム部材は、長手方向端部に前記基板と突き当たる突き当て部を有することを特徴とする請求項１又は請求項２に記載の表示装置。
【請求項４】
前記フレーム部材は、スナップフィットにより前記基板に取り付けられることを特徴とする請求項１乃至請求項３のいずれかに記載の表示装置。
【請求項５】
前記表示手段はＬＣＤであり、表示制御チップを前記表示手段の表示面と反対側の表示領域外に配設し、少なくとも前記表示制御チップを含む前記表示領域外部分を前記フレーム部材に接着して前記表示手段を前記フレーム部材に取り付けたことを特徴とする請求項１乃至請求項４のいずれかに記載の表示装置。
【請求項６】
シートを搬送して画像を形成する画像形成装置において、
シートに画像を形成するための記録部と、
所定情報を表示するための請求項１乃至請求項５のいずれかに記載の表示装置と、
を有することを特徴とする画像形成装置。
【発明の詳細な説明】
【技術分野】
【０００１】
本発明は、操作者の操作を入力するキーや操作に対するメッセージを表示する表示装置及びこれを用いた例えば複写機、ファクシミリ装置等の画像形成装置に関するものである。
【背景技術】
【０００２】
従来、複写機、ファクシミリ装置等に使用される表示部を有する操作パネルにおいては、特開平8-18246号公報に記載のようにＬＣＤ（液晶表示板）表示部を窓となる透明部材に直接取り付けた後、操作パネルの外装となるカバー側に取り付けたものがある。
【０００３】
また、特開平9-152135号公報に記載されるように、ＬＣＤ表示部をフレーム部材に取り付けた状態で制御基板側に固定し、その制御基板を外装となるカバー部材に取り付けたものがある。
【０００４】
【特許文献１】特開平８−１８２４６号公報
【特許文献２】特開平９−１５２１３５号公報
【発明の開示】
【発明が解決しようとする課題】
【０００５】
上記のような装置において、ＬＣＤ表示部を窓となる透明部材に直接取り付けた後、操作パネルの外装となるカバー側に取り付けたものでは、窓となる透明部材やその周辺を操作者が強く押した場合の透明部材の歪がＬＣＤに直接伝わってしまう。
【０００６】
このような場合、ＬＣＤ自体に歪が生じることでＬＣＤの液晶のねじれ角が変わるなどして正しい表示ができなくなる場合があった。これは、ＬＣＤの制御用（ドライバ）チップがＬＣＤの透明基板（一般にガラスが用いられる）上に搭載されたいわゆるＣＯＧ（チップオングラス）形式のＬＣＤのように透明基板のみで動作可能なＬＣＤを使用する際に顕著である。
【０００７】
また、ＬＣＤ表示部をフレーム部材に取り付けた状態で制御基板側に固定し、その制御基板を外装となるカバー部材に取り付けた場合には、ＬＣＤと外装カバーが離れて空間を多く使用してしまうと装置が大きくなりがちである。また、外装カバーを押された際に外装カバーのみの強度で耐える必要があり、ＬＣＤ周辺の強度確保が難しくなることがあった。
【０００８】
本発明はかかる従来の問題点に鑑みてなされたものであり、その目的は、表示部材のカバーとなる窓部材を押しても表示部材に歪みが生じ難く、強度も確保可能な表示装置及びこれを備えた画像形成装置を提供するものである。
【課題を解決するための手段】
【０００９】
上記課題を解決するための本発明における代表的な手段は、情報を表示するための表示部材と、前記表示部材を覆い、略長方形に露出する窓部材と、前記表示部材の制御を行うための基板と、前記基板上に取り付けられ、前記表示部材を支持するためのフレーム部材と、を有し、前記窓部材は前記フレーム部材を囲み、且つ一部において前記基板側に当接し、前記フレーム部材は前記基板に対しての高さが中央部よりも長手方向端部が高く構成され、前記フレーム部材と前記窓部材とは長手方向端部において間隙を有していることを特徴とする。
【発明の効果】
【００１０】
本発明は窓部材が基板に当接し、フレーム部材の長手方向端部が中央部よりも高く、且つフレーム部材と窓部材とは長手方向端部において間隙を有するように構成されているために、窓部材が押されても表示部材に歪みが生じにくく、強度も確保される。よって、表示部材としてＬＣＤを用いたとしても的確な表示が可能となる。
【発明を実施するための最良の形態】
【００１１】
次に本発明の一実施形態に係る表示装置について、これを備えた画像形成装置について具体的に説明する。
【００１２】
〔第１実施形態〕
図１乃至図５を参照して第１実施形態について説明する。なお、図１は操作部周辺部の部品構成を示す分解説明図、図２は表示部付近を画像形成装置の前方と右方向から見た透視説明図、図３は表示部付近を操作カバー、ＬＣＤカバーがない状態で画像形成装置前方、上方と右方向から見た透視説明図、図４はＬＣＤカバーの外形を示す説明図、図５は画像記録装置でスキャナユニットを開いた状態を示す全体斜視説明図である。
【００１３】
｛画像形成装置の全体構成｝
まず、図５によって画像形成装置の全体構成について概略説明する。本実施形態の画像形成装置は、インクジェット記録部を備えたファクシミリ装置であり、記録シートとして通常定形のカット紙を用いており、複数枚重ねてオートシートフィーダー１に収納される。
【００１４】
オートシートフィーダー１に収納積載された記録シートは、不図示の給送ローラ及び不図示の分離パッドによって１枚だけ分離搬送される。その後、記録部２まで挟持搬送される。
【００１５】
記録部２では不図示の記録ヘッドによって記録が行なわれ、その記録シートは記録ヘッドの下流に位置した不図示の排出ローラによって排出トレイ３へと排出される。本実施形態における記録ヘッドは、ノズル内に設けた電気熱変換素子の発熱によってインク中に生じた膜沸騰の圧力によってノズル先端の吐出口よりインクを吐出して記録シートにインク像を形成するものである。なお、本実施形態の記録部はイエロー、マゼンタ、シアン、ブラックの各色のインクタンク２ａを装着してカラー画像を記録可能となっている。
【００１６】
一方、装置上部には回動軸４を中心に回動可能な読取部５が設けられている。本実施形態における読取部５はフラットベッドスキャナであり、不図示の密着型イメージセンサが不図示のキャリッジに支持され、副走査方向に沿って移動可能となっている。そして、イメージセンサは図示しない光源とレンズと光電変換素子を内蔵しており、原稿載置台としてのコンタクトガラス（図示しない）の裏面に一定の距離を保って移動する。これにより、読み取られた画像はフレキシブルケーブル等により本体画像処理部（制御部）に電送される。
【００１７】
上記記録部２及び読取部５は装置内部に設けられた電装部６によって制御される。そして、各種操作は装置前部の操作部７から行い、動作状況等の情報は表示装置としての表示部８に表示される。
【００１８】
｛表示装置｝
次に図１乃至図４を参照して表示装置としての表示部８の構成について説明する。図１において、11は操作カバーであり、12は操作部７及び表示部８を制御する操作部基板である。この操作部基板12は図示しない止めビスにて操作カバー11と締結されている。
【００１９】
また、図２において、12ａはＬＣＤ接続コネクタ、12ｂは電装部品である。13はガラス基板を使用して形成された表示部材であるＬＣＤ、13ａはＬＣＤ13を接着する両面テープ13、13ｂはＬＣＤ13に直付けされたフレキシブルケーブルである。
【００２０】
図３において、13ｃはＬＣＤ13の情報表示領域である表示部、13ｄはＬＣＤ13の表示部外に配置されたＬＣＤドライバチップである。
【００２１】
また、図２において、14はＬＣＤ13を覆い、略長方形に露出する窓部材となるＬＣＤカバーであり、14ａはＬＣＤカバー14の長手方向端部を操作部基板12へ突き当てるための突き当て部、14ｂはＬＣＤカバー14の長手方向端部の外装側外周枠部分、14ｃは操作カバーから外側に露出した透明窓部である。
【００２２】
また、15はＬＣＤ13を支持するフレーム部材であるＬＣＤフレームであり、15ａはＬＣＤフレーム15の操作部基板12へ突き当てる突き当て部となる突き当てボス、15ｂはＬＣＤフレーム15の長手方向端部の外装側外周枠部分、15ｃはスナップフィット爪、15ｄはＬＣＤフレーム15と操作部基板12の間に形成される空間である。
【００２３】
ＬＣＤカバー14は外周が操作部基板12の方向に切れ目なく延長されており、透明窓部14ｃ付近に静電気を帯びたものが近づいても内部のＬＣＤ13の導電部に静電気が飛びにくくなっている。このＬＣＤカバー14の長手方向端部にはそれぞれ操作部基板12への突き当て部14ａが設けられている。このようにすることで、ＬＣＤカバー14は長手方向端部が外力を操作部基板12に受け流し、長手方向中央部は所定量撓んで耐えるようになっている。
【００２４】
ＬＣＤフレーム15はＬＣＤカバー14の内部に位置するようになっており、スナップフィット爪15ｃを操作部基板12の図示しない穴に通してフックすることで簡便に取り付け、取り外しが可能になっている。
【００２５】
そして、ＬＣＤフレーム15は、図２に示すように、ＬＣＤフレーム15は断面Ｈ型をしており、ＬＣＤフレーム15は長手方向端部に配設されたスナップフィット爪15ｃと、表示面方向から見た四隅に設けられた突き当てボス15ａ部でのみ操作部基板12と接している。このようにすることで操作部基板12に反りが生じている場合にもＬＣＤフレーム15自体に機械的ストレスが及びにくくなっている。
【００２６】
また、ＬＣＤフレーム15は操作部基板12に対しての高さが中央部よりも長手方向端部が高く構成され、ＬＣＤフレーム15の長手方向端部の外装側外周枠部分15ｂはＬＣＤカバー14の長手方向端部の外装側外周枠部分14ｂと所定の小さな間隙（0.3〜0.5mm）を有する高さとなっている。このようにすることで、ＬＣＤカバー14が外力で所定量まで撓んだ状態で外周枠部分15ｂと外装側外周枠部分14ｂが突き当たり、ＬＣＤカバー14の撓み量を所定量に規制することで外装全体の変形を少なくすることができる。
【００２７】
このため、操作カバー11が破損する可能性があるような大きな外力がかかった場合の耐性が向上する。また、外周枠部分15ｂと外装側外周枠部分14ｂが突き当たるまではＬＣＤフレーム15自体に機械的ストレスが及びにくくなっているので通常使用における外力（例えば20Ｎ程度まで）に対してはＬＣＤ13の表示に影響が出にくくなる。
【００２８】
ＬＣＤ13は表示部の領域外に配置されたＬＣＤドライバチップ13ｄの裏面部でのみＬＣＤフレーム15に両面テープ13ａで接着されている。このようにすることで歪に弱い表示部13ｃがＬＣＤフレーム15にかかったストレスの全てを受けなくなるので所望の表示ができなくなるような歪がＬＣＤ13自体に発生しにくくなる。なお、前記接着は少なくともＬＣＤドライバチップ13ｄの裏面部を含み、表示部の領域外部分を接着するようにすればよい。
【００２９】
また、ＬＣＤフレーム15は断面Ｈ型をしているために、ＬＣＤ13と操作部基板12との間に、すなわちＬＣＤフレーム15のＬＣＤ13の貼り付け面と逆側に、空間15ｄが形成されている。このようにすることで、ＬＣＤ13を透明窓部14ｃに近い位置に配置でき視認性が向上するとともに、空間15ｄにＬＣＤ接続コネクタ12ａ、放射ノイズ対策等に使用されるキャパシタ等の電装部品12ｂ、更にはフレキシブルケーブル13ｂを配置でき、限られた操作部基板12の実装面積を有効に使用することができる。
【００３０】
また前述のように空間15ｄはＬＣＤカバー14内に位置するので外部からの静電気が飛びにくく、静電気に弱い部品を配置するのに好適である。
【００３１】
〔他の実施形態〕
前述した実施形態ではＬＣＤ13によって情報を表示する表示装置を画像形成装置に用いた例を示したが、これは画像形成装置のみならずスキャナ等の画像読取装置、更にはＬＣＤによる表示部を有する機器であれば好適に用いることができる。
【図面の簡単な説明】
【００３２】
【図１】操作部周辺部の部品構成を示す分解説明図である。
【図２】表示部付近を画像形成装置の前方と右方向から見た透視説明図である。
【図３】表示部付近を操作カバー、ＬＣＤカバーがない状態で画像形成装置前方、上方と右方向から見た透視説明図である。
【図４】ＬＣＤカバーの外形を示す説明図である。
【図５】画像記録装置でスキャナユニットを開いた状態を示す全体斜視説明図である。
【符号の説明】
【００３３】
１    …オートシートフィーダー
２    …記録部
２ａ  …インクタンク
３    …排出トレイ
４    …回動軸
５    …読取部
６    …電装部
７    …操作部
８    …表示部
11    …操作カバー
12    …操作部基板
12ａ  …ＬＣＤ接続コネクタ
12ｂ  …電装部品
13    …ＬＣＤ
13ａ  …両面テープ
13ｂ  …フレキシブルケーブル
13ｃ  …表示部
13ｄ  …ＬＣＤドライバチップ
14    …ＬＣＤカバー
14ａ  …突き当て部
14ｂ  …外装側外周枠部分
14ｃ  …透明窓部
15    …ＬＣＤフレーム
15ａ  …突き当てボス
15ｂ  …外装側外周枠部分
15ｃ  …スナップフィット爪
15ｄ  …空間
【図１】
2005308864.tif 000003
【図２】
2005308864.tif 000004
【図３】
2005308864.tif 000005
【図４】
2005308864.tif 000006
【図５】
2005308864.tif 000007